(57)【要約】【課題】スクリーン巻取り時の巻きずれによってファスナー状係合部材の係合子がレールのスリットに食い込むのを防止し、巻取軸に対するスクリーンの巻取り・巻戻しをスムースに行えるようにした巻取り式スクリーン装置を提供する。【解決手段】巻取軸２に対して巻取り・巻戻しするようにしたスクリーン１の幅方向側端のファスナー状係合部材７を、枠材４に保持させたレール５の溝５ａ口縁のスリット５ｂに係合させ、側端がレール５より外れるのを防止した巻取り式スクリーン装置において、レール５の末端部分５Ａの枠材４に対する巻取軸軸線方向の可動範囲をレール５の本体部分５Ｂに比してして拡大する。【選択図】        図１
2004308170.tif 000002
【特許請求の範囲】
【請求項１】
巻取軸に対して巻取り・巻戻しするようにしたスクリーンの幅方向側端のファスナー状係合部材を、枠材に保持させたレールの溝口縁のスリットに係合させ、該側端がレールより外れるのを防止した巻取り式スクリーン装置において、
上記レールの巻取軸に近い末端部分の枠材に対する巻取軸軸線方向の可動範囲を、該レールの他の部分に比してして拡大している、
ことを特徴とする巻取り式スクリーン装置。
【請求項２】
レールが枠材に対して巻取軸の軸線方向に僅少な範囲内で遊動自在に保持されている、
ことを特徴とする請求項１に記載の巻取り式スクリーン装置。
【請求項３】
レールの巻取軸に近い末端部分を該レールの本体部分と別体に形成し、該末端部分の本体部分側端は該本体部分と同範囲で遊動自在とし、該末端部分の巻取軸側端にはそれよりも大きい可動範囲をもたせている、
ことを特徴とする請求項２に記載の巻取り式スクリーン装置。
【請求項４】
レールの巻取軸に近い末端部分を該レールの本体部分と可撓部を介して一体に形成し、該末端部分の巻取軸側端に本体部分よりも大きい可動範囲をもたせている、
ことを特徴とする請求項２に記載の巻取り式スクリーン装置。
【請求項５】
枠材の対向側壁にレールの左右の突部を巻取軸の軸線方向に僅少な範囲内で遊動自在に保持する一定幅の遊動溝を設け、
レールの末端部分における上記左右の突部を、本体部分側端から巻取軸側端に行くに従って幅狭になるテーパー状に形成した、
ことを特徴とする請求項３または４に記載の巻取り式スクリーン装置。
【請求項６】
スクリーンの幅方向の両側端に設けたファスナー状係合部材を、該スクリーンの幅方向の両側端の枠材にそれぞれ保持させたレールにおける溝口縁のスリットに係合させた、
ことを特徴とする請求項１乃至５のいずれかに記載の巻取り式スクリーン装置。
【発明の詳細な説明】
【０００１】
【発明の属する技術分野】
本発明は、巻取軸に対して巻取り・巻戻しするようにしたスクリーンで、その幅方向側端をファスナー状係合部材によりレールに保持させて、該側端がレールより外れるのを防止した巻取り式スクリーン装置の改良に関するものである。
【０００２】
【従来の技術】
図５に示すように、スクリーン３１を巻取軸３２に対して巻取り・巻戻しできるようにしたスクリーン装置であって、そのスクリーン３１の幅方向側端に取り付けたファスナー状係合部材３３を、枠材３４に保持させたレール３５における溝３５ａの口縁のスリット３５ｂに係合させ、該スクリーン３１の側端がレール３５より外れるのを防止できるようにした巻取り式スクリーン装置は、特許文献１等において従来から既に知られている。上記ファスナー状係合部材３３としては、衣服等に使用する本来のファスナー（ジッパー）自体の半体をそのまま利用することもあるが、それに近似した形態のものも用いられ、いずれにしても、帯状テープ３３ａの一側端に上記レール３５に係合する多数の係合子３３ｂを列設したものである。
【０００３】
しかるに、上記既知の巻取り式スクリーン装置においては、巻取軸３２に対してスクリーン３１を巻取る際に、スクリーン３１の厚さに対してファスナー状係合部材３３の取付部が厚くなり、特に帯状テープ３３ａに取り付けた係合子３３ｂが重なる部分は、それらが順次重なった状態で巻かれることはなく、現実的には、図５に示すように、係合子３３ｂが巻取軸３２の軸線方向にずれて巻きずれが発生する。そして、このような巻きずれが生じた場合、その状態のままでスクリーンの巻取りを継続すると、係合子３３ｂがレール３５における溝３５ａの口縁のスリット３５ｂに食い込んで操作が重くなり、また、特に上記巻きずれが生じた状態に巻かれたスクリーン３１を巻戻すと、係合子３３ｂがレール３５における溝３５ａの口縁のスリット３５ｂに食い込みやすく、それが食い込んだ状態でスクリーン３１の引き出しを継続すると、係合子３３ｂがレール３５から外れたり、一部が破損してしまうという問題がある。
【０００４】
上記の問題を解決するためには、レール３５における溝３５ａを深くして、ファスナー状係合部材３３が巻取軸３２の軸線方向にある程度移動するのを許容することも考えられるが、この場合には、スクリーン３１の幅方向の弛みが生じ易くなるばかりでなく、レール３５及びそれを保持する枠材３４の全体の見付寸法を大きくする必要が生じ、コスト高になると同時に、利用できる建物開口がそれだけ狭くなる、などの新たな問題点が発生する。
【０００５】
【特許文献１】特公平１−６１１５８号公報
【０００６】
【発明が解決しようとする課題】
本発明の技術的課題は、スクリーンの巻取り時における巻きずれが止むを得ないものであることから、該巻きずれによってファスナー状係合部材における係合子がレールにおける溝口縁のスリットに食い込むのを効果的に防止できるようにし、それによって、巻取軸に対するスクリーンの巻取り・巻戻しをスムースに行えるようにした巻取り式スクリーン装置を提供することにある。
本発明の他の技術的課題は、上記係合子がレールのスリットに食い込み、あるいは該レールから外れたりするのを防止するために、レールにおける溝を深くするなどの手段を採用することなく、そのため、枠材の見付寸法を大きくして、スクリーンに幅方向の弛みを生じさせたり、利用できる建物開口を狭くしたりすることなく、簡単な構成で、係合子が溝から離脱したりするのを防止できるようにした巻取り式スクリーン装置を提供することにある。
【０００７】
【課題を解決するための手段】
上記課題を解決するための本発明の巻取り式スクリーン装置は、巻取軸に対して巻取り・巻戻しするようにしたスクリーンの幅方向側端のファスナー状係合部材を、枠材に保持させたレールの溝口縁のスリットに係合させ、該側端がレールより外れるのを防止した巻取り式スクリーン装置において、上記レールの巻取軸に近い末端部分の枠材に対する巻取軸軸線方向の可動範囲を、該レールの他の部分に比してして拡大していることを特徴とするものである。
【０００８】
上記本発明の巻取り式スクリーン装置は、スクリーンの円滑な操作のため、レールが枠材に対して巻取軸の軸線方向に僅少な範囲内で遊動自在に保持されていることが望まれる。
また、本発明の好ましい実施形態においては、レールの巻取軸に近い末端部分を該レールの本体部分と別体に形成し、該末端部分の本体部分側端は該本体部分と同範囲で遊動自在とし、該末端部分の巻取軸側端にはそれよりも大きい可動範囲をもたせ、あるいは、レールの巻取軸に近い末端部分を該レールの本体部分と可撓部を介して一体に形成し、該末端部分の巻取軸側端に本体部分よりも大きい可動範囲をもたせるように構成される。
【０００９】
更に、本発明の巻取り式スクリーン装置においては、上記レールの末端部分を本体部分と別体または一体に形成するいずれの場合においても、枠材の対向側壁にレールの左右の突部を巻取軸の軸線方向に僅少な範囲内で遊動自在に保持する一定幅の遊動溝を設け、レールの末端部分における上記左右の突部を、本体部分側端から巻取軸側端に行くに従って幅狭になるテーパー状に形成するのが、構成を簡単化するために有効である。
【００１０】
また、本発明の巻取り式スクリーン装置は、スクリーンを横引きまたは縦引きにするいずれの場合にも適用することができ、スクリーンが縦引きの場合には、通常、スクリーンの幅方向の両側端に設けたファスナー状係合部材を、該スクリーンの幅方向の両側端の枠材にそれぞれ保持させたレールにおける溝口縁のスリットに係合させるが、スクリーンを横引きで用いる場合には、スクリーンの上端を保持するレールを備えた建物開口部の上方の枠材だけに本発明を適用することもできる。
【００１１】
上記構成を有する巻取り式スクリーン装置は、ファスナー状係合部材を用いたスクリーンの巻取り時における前記巻きずれが避けがたいものであることから、上述した構成により、主としてスクリーンの巻戻し（引き出し）時に、レールの末端部分における巻取軸側端が巻きずれしているファスナー状係合部材に追随するようにしているので、該巻きずれによってファスナー状係合部材における係合子がレールにおけるスリットに食い込むのを効果的に防止することができ、それによって、巻取軸に対するスクリーンの巻取り・巻戻しをスムースに行うことができる。
【００１２】
また、上記巻取り式スクリーン装置においては、スクリーンの巻きずれに起因して上記係合部材がレールのスリットに食い込み、あるいは該レールから外れたりするのを防止するために、レールにおける溝を深くするなどの手段を採用することなく、そのため、枠材の見付寸法を大きくして、スクリーンに幅方向の弛みを生じさせたり、利用できる建物開口を狭くしたりすることなく、簡単な構成で、係合部材が溝から離脱したりするのを防止することができる。
【００１３】
【発明の実施の形態】
図１乃至図３は本発明の巻取り式スクリーン装置の一実施例を例示するものである。この巻取り式スクリーン装置は、スクリーン１を横引きにより開閉するようにしたもので、該スクリーン１の巻取軸２を収容するボックス３と、該ボックス３の一端に連結され、巻取軸２に対して巻取り・巻戻しするスクリーン１の幅方向側端を保持してガイドするレール５を内装した枠材４とを備えており、上記スクリーン１の幅方向側端（図示の例では上端）に取り付けたファスナー状係合部材７を、枠材４に保持させたレール５における溝５ａの口縁のスリット５ｂに係合させ、該スクリーン１の側端がレール５より外れるのを防止できるようにしている。なお、ここでは横引きのスクリーン装置における上側の枠材４のみを示しているが、下側にも枠材を設け、即ち、スクリーン１の幅方向両側に該スクリーン１をガイドする枠材を設けることもできる。
【００１４】
巻取軸２に対して巻取りばねの付勢力あるいは手動操作等により巻取り・巻戻しするようにしたスクリーン１は、その幅方向側端に沿ってファスナー状係合部材７を取り付けている。上記ファスナー状係合部材７としては、帯状テープ７ａの一側端に上記レール５におけるスリット５ｂに係合する多数の係合子７ｂをファスナー状に列設したものを用い、具体的には、衣服等に使用する本来のファスナー（ジッパー）自体の半体をそのまま利用することができるが、それに近似した形態のもの、例えば、ファスナーに近似するがファスナーとしての機能を全く持たない多数の係合子を帯状テープの一側端に列設したもの等を用いることもできる。
【００１５】
上記スクリーン１の幅方向側端をガイドするレール５を内装した枠材４は、アルミニウム等によってチャンネル状に形成したもので、その対向側壁４ａの内側に、後述するレール５の左右の突部５ｃを巻取軸２の軸線方向に僅少な範囲内で遊動自在に保持する一定幅の遊動溝４ｂを設けている。
また、上記レール５は、スクリーン１の円滑な開閉操作を可能にするため、ファスナー状係合部材７における係合子７ｂとの摺動抵抗が小さくなるような合成樹脂材で形成され、しかも、上述したように、枠材４に対して巻取軸２の軸線方向に僅少な範囲内で遊動自在に保持させているので、スクリーン１の幅方向両側端をレールで保持する場合において、スクリーン１の幅やその側端に対するファスナー状係合部材７の取付位置に若干の寸法誤差があっても、それを吸収させることができるものである。
【００１６】
上記レール５は、レール５の巻取軸２に近い数センチ程度の末端部分５Ａと、該末端部分５Ａを除いて枠材４のほぼ全長にわたって伸びる本体部分５Ｂとを、それぞれ別体に形成することにより構成したもので、該レール５を構成する末端部分５Ａ及び本体部分５Ｂの下面の幅方向中央には、該レール５の長手方向に沿って溝５ａを形成する一対の対向垂下壁５ｄ，５ｄが設けられている。そして、それらの対向垂下壁５ｄ，５ｄの下端を相対峙する方向に鉤形に折曲することにより、上記溝５ａの口縁にスリット５ｂを形成している。また、該レール５の左右両端部には、当該レール５を上記枠材４の遊動溝４ｂ内に巻取軸２の軸線方向に遊動自在に保持するための突部５ｃを設けている。
【００１７】
さらに、上記レール５は、巻取軸２に近い末端部分５Ａの枠材４に対する巻取軸軸線方向の可動範囲を、該レール５の他の部分に比して拡大して形成している。すなわち、図１からわかるように、該末端部分５Ａにおける本体部分５Ｂ側の端部は該本体部分５Ｂと同範囲で遊動自在とし、該末端部分５Ａにおける巻取軸２側の端部にはそれよりも大きい可動範囲をもたせるために、レール５の末端部分５Ａにおける上記左右の突部５ｃを、本体部分５Ｂ側の端部から巻取軸２側の端部に行くに従って幅狭になるテーパー状に形成している。末端部分５Ａにおける突部５ｃについて更に詳細に説明すると、この突部５ｃは、末端部分５Ａの上下方向の遊動に対応できるように、該突部５ｃの上面及び下面を水平面に対してそれぞれ下方及び上方に傾斜させて形成しており、それにより本体部分５Ｂ側の端部から巻取軸２側の端部の方向に幅狭になるテーパー状に形成している。このように構成すると、スクリーン１の巻きずれによってファスナー状係合部材７における係合子７ｂがレール５のスリット５ｂに食い込むのを効果的に防止するための構造を簡単化することができるうえに、当該スクリーン装置を安価に製造することができる。
なお、上述した実施例においては、末端部分５Ａにおける突部５ｃの上面及び下面をそれぞれ下方及び上方に傾斜させているが、それに限定されず、突部５ｃの下面側のみ上方に傾斜させた構成とすることもできる。
【００１８】
上記構成を有する巻取り式スクリーン装置は、主としてスクリーン１の巻戻し（引き出し）時に、レール５の末端部分５Ａにおける巻取軸２側の端部が巻きずれしているファスナー状係合部材７に追随するようにしているので、該巻きずれによってファスナー状係合部材７における係合子７ｂがレール５におけるスリット５ｂに食い込むのを効果的に防止することができ、それによって、巻取軸２に対するスクリーン１の巻取り・巻戻しをスムースに行うことができる。
【００１９】
また、上記巻取り式スクリーン装置においては、スクリーン１の巻きずれに起因して上記係合子７ｂがレール５のスリット５ｂに食い込み、あるいは該レール５から外れたりするのを防止するために、レール５における溝５ａを深くするなどの手段を採用することなく、そのため、枠材４の見付寸法を大きくして、スクリーン１に幅方向の弛みを生じさせたり、利用できる建物開口を狭くしたりすることなく、簡単な構成で、係合子７ｂがレール５の溝５ａから離脱したりするのを防止することができる。
【００２０】
なお、上記レール５は、図１に示す実施例では、末端部分５Ａを本体部分５Ｂと別体に形成した構成としているが、図４に示す実施例のように、レール２５の巻取軸に近い末端部分２５Ａを該レール２５の本体部分２５Ｂと可撓部２５Ｃを介して一体に形成し、該末端部分２５Ａの巻取軸側端に本体部分２５Ｂよりも大きい可動範囲をもたせるように構成することができる。
【００２１】
また、本発明の巻取り式スクリーン装置は、スクリーンを横引きまたは縦引きにするいずれの場合にも適用することができ、スクリーンを横引きで用いる場合には、上述した実施例のように、スクリーンの上端を保持するレールを備えた建物開口部の上方の枠材だけに本発明を適用した構成とすることができるが、スクリーンが縦引きの場合には、通常、スクリーンの幅方向の両側端に設けたファスナー状係合部材を、該スクリーンの幅方向の両側端の枠材にそれぞれ保持させたレールにおける溝口縁のスリットに係合させるのが有効である。
【００２２】
【発明の効果】
以上に詳述した本発明の巻取り式スクリーン装置によれば、スクリーンの巻取り時における巻きずれによってファスナー状係合部材における係合子がレールにおける溝口縁のスリットに食い込むのを効果的に防止でき、それによって、巻取軸に対するスクリーンの巻取り・巻戻しをスムースに行うことができる。
また、上記係合子がレールのスリットに食い込み、あるいは該レールから外れたりするのを防止するために、レールにおける溝を深くするなどの手段を採用することなく、そのため、枠材の見付寸法を大きくして、スクリーンに幅方向の弛みを生じさせたり、利用できる建物開口を狭くしたりすることなく、簡単な構成で、係合子が溝から離脱したりするのを防止することができる。
【図面の簡単な説明】
【図１】本発明の実施例の要部縦断面図である。
【図２】本発明の巻取り式スクリーン装置の正面図である。
【図３】本発明の巻取り式スクリーン装置の拡大断面図である。
【図４】レールの他の実施例を示す部分破断正面図である。
【図５】公知の巻取り式スクリーン装置の問題点を説明するための要部の作用説明図である。
【符号の説明】
１    スクリーン
２    巻取軸
４    枠材
４ａ  対向側壁
４ｂ  遊動溝
５    レール
５Ａ，２５Ａ  末端部分
５Ｂ，２５Ｂ  本体部分
５ａ  溝
５ｂ  スリット
５ｃ  突部
７    ファスナー状係合部材
２５Ｃ  可撓部
【図１】
2004308170.tif 000003
【図２】
2004308170.tif 000004
【図３】
2004308170.tif 000005
【図４】
2004308170.tif 000006
【図５】
2004308170.tif 000007